(57)【要約】【課題】簡単にロック解除して基台本体側からモジュール機器を取り外すことができるばかりでなく、その取付け時における固定状態も安定したものとすることができるモジュール機器およびその取付け構造の提供。【解決手段】相手材としての基台本体５１と、筐体部１２を本体とするモジュール機器１１とで構成され、基台本体５１は、筐体部１２に設けた嵌合突起４２との嵌合離脱が自在な嵌合孔５５と、起伏自在なロックレバー３３を倒伏させた際に位置固定して位置固定部１８を形成する掛合部５３とをそれぞれの対応部位に少なくとも備え、嵌合孔５５に嵌合突起４２を嵌合させるとともに、ロックレバー３３を倒伏させて掛合部５３に位置固定させることで、モジュール機器１１を基台本体５１に対し解除可能なロック状態のもとでの装着できるようにした。【選択図】図６
2004319551.tif 000002
【特許請求の範囲】
【請求項１】
相手材である基台本体に対し、その着脱と装着時における電気的な接続とを自在に形成された筐体部を本体とするモジュール機器であって、
前記筐体部には、前記基台本体との対向面である一側面が位置する側の一方のコーナー部に設けられた一対の支腕部と、これらの支腕部を介して前記基台本体との対面方向での起伏を自在に軸支され、かつ、その倒伏装着時に前記基台本体との間で位置固定部を形成する固定面部を備えたロックレバーとからなるロック機構と、装着時に前記基台本体側に嵌合させるべく前記一側面の他方のコーナー部に設けた嵌合突起とを具備させたことを特徴とするモジュール機器。
【請求項２】
前記固定面部は、完全起立時にその固定面が前記一側面と同じ面方向に位置し、完全倒伏時に前記基台本体側に対し前記固定面に突設した突起を介して位置固定部の形成を自在とした請求項１に記載のモジュール機器。
【請求項３】
前記ロックレバーは、その完全起立時と完全倒伏時との姿勢を維持をさせるための嵌合部を前記支腕部との間で形成自在とした請求項１または２に記載のモジュール機器。
【請求項４】
前記ロックレバーには、その倒伏時に前記基台本体側に位置固定させた状態を使用工具の梃子作用により解除自在とすべく、前記使用工具の先端部が導入掛止される掛合孔を設けた請求項１ないし３のいずれかに記載のモジュール機器。
【請求項５】
相手材としての基台本体と、請求項１ないし４のいずれかに記載のモジュール機器とで構成され、前記基台本体は、前記筐体部に設けた前記嵌合突起との掛合離脱が自在な嵌合孔と、起伏自在な前記ロックレバーを倒伏させた際に位置固定して位置固定部を形成する掛合部とをそれぞれの対応部位に少なくとも備え、前記嵌合孔に前記嵌合突起を嵌合させるとともに、前記ロックレバーを倒伏させて前記掛合部に位置固定させることで、前記モジュール機器を前記基台本体に対し解除可能なロック状態のもとでの装着を自在としたことを特徴とするモジュール機器の取付け構造。
【発明の詳細な説明】
【０００１】
【発明の属する技術分野】
本発明は、ユニット単位で構成されたプラグ・インタイプの計測モジュールや通信モジュールを含む各種モジュール機器を備えて構成される遠隔測定装置などのアセンブリ装置に好適に適用することができるモジュール機器およびその取付け構造に関する技術である。
【０００２】
【従来の技術】
ユニット単位で構成されたプラグ・インタイプの計測モジュールや通信モジュールを含む各種モジュール機器を備えて構成されるアセンブリ装置は、従来から種々の機能を備えたものが提供されてきている（例えば、特許文献１参照）。
【０００３】
【特許文献１】特開平５−７４５１５公報（第２頁、図１）
【０００４】
特許文献１に開示されているアセンブリ装置としての電気機器は、プラグを備える基台本体とソケットを備える１以上のモジュール機器とを別体として形成し、ソケットを基台本体のプラグに挿入してモジュール機器を電気的に接続させながら一体的に取り付けた上で、必要な各種の電気的な測定を行うことができるようになっている。
【０００５】
しかし、特許文献１に開示されている電気機器は、基台本体のプラグにソケット側を単に差し込んでモジュール機器を取り付ける構造を採用するものであることから、何らかの外力を受けた際にモジュール機器の側が基台本体の側から簡単に離脱してしまう問題があり、このような不都合を回避するものとして、基台本体の側に対しモジュール機器の側を確実に取り付けておくことができるロック機構を具備させたアセンブリ装置も既に提案されている。
【０００６】
図８は、上記ロック機構を具備させてなるアセンブリ装置の一例を示す要部斜視図であり、プラグからなる一側コネクタ１１５を備える１以上のモジュール機器１１２と、ソケットからなる１以上の他側コネクタ１２３を備える基台本体１２２との組合せのもとでアセンブリ装置１１１が形成されるようになっている。
【０００７】
このうち、モジュール機器１１２は、略直方体を呈する筐体部１１３にあって相手材としての基台本体１２２と対向する一側面１１４に配設されている一側コネクタ１１５と、該一側コネクタ１１５の上方に位置するコーナー部１１６にシーソー状の揺動を自在に軸支されたロックレバー１１７と、一側コネクタ１１５の下方に位置するコーナー部１１８に突設された掛止突起部１１９とを少なくとも備えて形成されている。
【０００８】
また、基台本体１２２は、その取付け時にモジュール機器１１２の一側コネクタ１１５と対面する部位に配設された他側コネクタ１２３と、該他側コネクタ１２３の上方に配設されてロックレバー１１７が掛止される掛合部１２４と、他側コネクタ１２３の下方に配設されて掛止突起部１１９との掛合を自在に凹陥させた受け口部１２５とを少なくとも備えて形成されている。
【０００９】
このため、基台本体１２２に対しモジュール機器１１２を取り付ける際は、まず、モジュール機器１１２の掛止突起部１１９を基台本体１２２の受け口部１２５内に差し込んだ上で、この差込み部位を支点として起立方向（対面方向）に筐体部１１３を回転させる。
【００１０】
このように筐体部１１３を回転させることで、モジュール機器１１２は、その一側面１１４を基台本体１２２の側に対面させた状態で一側コネクタ１１５が基台本体１２２の他側コネクタ１２３に挿入され、これにより相互が電気的に接続される。
【００１１】
このように電気的に接続させた際には、モジュール機器１１２のロックレバー１１７も基台本体１２２の掛合部１２４側にその先端掛止片部１１７ａが位置することになる。このため、ロックレバー１１７の後端弾性片部１１７ｂを押し下げて筐体部１１３側に位置固定させた際には、引き上げられる側に位置している先端掛止片部１１７ａが掛合部１２４の側と自動掛合する結果、モジュール機器１１２は、ロックがかかった状態のもとで位置固定されて基台本体１２２側に装着されることになる。なお、ロック解除は、ロックレバー１１７の後端弾性片部１１７ｂをその圧着力に抗して強制的に引き上げることにより、先端掛止片部１１７ａを強制的に引き下げて掛合部１２４から離脱させることで行うことができる。
【００１２】
【発明が解決しようとする課題】
しかし、図８に示すような構造を備えるアセンブリ装置１１１にあっては、その設置場所の如何によってはロックレバー１１７の側に作業者の手指が届かないため、ロック解除に必要なレバー操作ができなくなって基台本体１２２の側からモジュール機器１１２を取り外すことが困難になる不都合があった。
【００１３】
さらに、モジュール機器１１２自体の横（幅）寸法が小さい場合には、基台本体１２２の掛合部１２４に対するロックレバー１１７の先端掛止片部１１７ａの掛合状態も脆弱化してしまい、その装着時にモジュール機器１１２が横方向にがたついて不安定になってしまうといった不具合もあった。
【００１４】
本発明は、従来からあるアセンブリ装置にみられた上記課題に鑑み、設置場所の如何にかかわらず簡単な操作でロック解除を行って基台本体の側からのモジュール機器を取り外すことができるばかりでなく、モジュール機器を基台本体に取り付けた際の位置固定状態も安定したものとすることができるモジュール機器およびその取付け構造を提供することを目的とする。
【００１５】
【課題を解決するための手段】
本発明は、上記目的を達成すべくなされたものであり、そのうちの第１の発明（モジュール機器）は、相手材である基台本体に対し、その着脱と装着時における電気的な接続とを自在に形成された筐体部を本体とするモジュール機器であって、前記筐体部には、前記基台本体との対向面である一側面が位置する側の一方のコーナー部に設けられた一対の支腕部と、これらの支腕部を介して前記基台本体との対面方向での起伏を自在に軸支され、かつ、その倒伏装着時に前記基台本体との間で位置固定部を形成する固定面部を備えたロックレバーとからなるロック機構と、装着時に前記基台本体側に嵌合させるべく前記一側面の他方のコーナー部に設けた嵌合突起とを具備させたことに特徴がある。
【００１６】
この場合、前記固定面部は、完全起立時にその固定面が前記一側面と同じ面方向に位置し、完全倒伏時に前記基台本体側に対し前記固定面に突設した突起を介して位置固定部の形成を自在とするのが好ましい。また、前記ロックレバーは、その完全起立時と完全倒伏時との姿勢を維持をさせるための嵌合部を前記支腕部との間で形成自在とするのが望ましい。さらに、前記ロックレバーには、その倒伏時に前記基台本体側に位置固定させた状態を使用工具の梃子作用により解除自在とすべく、前記使用工具の先端部が導入掛止される掛合孔を設けておくこともできる。
【００１７】
また、第２の発明（モジュール機器の取付け構造）は、相手材としての基台本体と、上記モジュール機器とで構成され、前記基台本体は、前記筐体部に設けた前記嵌合突起との嵌合離脱が自在な嵌合孔と、起伏自在な前記ロックレバーを倒伏させた際に位置固定して位置固定部を形成する掛合部とをそれぞれの対応部位に少なくとも備え、前記嵌合孔に前記嵌合突起を嵌合させるとともに、前記ロックレバーを倒伏させて前記掛合部に位置固定させることで、前記モジュール機器を前記基台本体に対し解除可能なロック状態のもとでの装着を自在としたことに特徴がある。
【００１８】
【発明の実施の形態】
図１は、本発明に係るモジュール機器の一例についての全体斜視図を、図２は、図１の要部を拡大した斜視図を、図３は、図１の例を背面方向からみた場合の全体斜視図をそれぞれ示す。
【００１９】
これらの図によれば、ユニット単位で構成されたプラグ・インタイプの計測モジュールや通信モジュールなどを含む各種のモジュール機器１１は、例えば図４に示すような相手材としての基台本体５１に対し、その着脱と装着時における電気的な接続とを自在に形成された筐体部１２を本体として形成されており、図６に示すように基台本体５１と組み合わせることで、例えば遠隔計測システムを構成する遠隔測定装置などのようなアセンブリ装置６１として用いることができるようになっている。
【００２０】
すなわち、適宜の機能を備えて形成されるモジュール機器１１は、略直方体形状を呈する筐体部１２を本体とし、該筐体部１２にあって相手材としての基台本体５１と対向する一側面１３に配設されて、基台本体５１が備えるソケットなどの他側コネクタ５２と嵌り合うプラグなどの一側コネクタ１４と、該一側コネクタ１４の上方に位置する筐体部１２のコーナー部１５に付設されたロック機構２２と、一側コネクタ１４の下方に位置するコーナー部１６に垂設された嵌合突起４２とを備えて形成されている。
【００２１】
このうち、ロック機構２２は、筐体部１２の一側面１３に突設された一対の支腕部２３，２３と、これらの支腕部２３，２３を介して基台本体５１との対面方向での起伏を自在に軸支され、かつ、その倒伏装着時（完全倒伏時）に基台本体５１側に二点で位置固定されるロックレバー３３とで形成されている。
【００２２】
これを図２を参酌しながらより詳しく説明すれば、ロックレバー３３は、各支腕部２３との対面側に各別に突設された支軸部３４を備え、これらの支軸部３４を対応する各支腕部２３の軸支孔２４に挿入支持させることで、略９０度の範囲で起伏自在に軸支されている。
【００２３】
また、ロックレバー３３は、完全起立時（ロック完全解除時）にその固定面３５ａが一側面１３と同じ面方向に位置し、完全倒伏時（完全ロック時）に基台本体５１側に対し固定面３５ａに突設された２個の突起３６を介して形成される位置固定部１８により位置固定させることができる固定面部３５を有して形成されている。
【００２４】
しかも、ロックレバー３３は、その完全起立時と完全倒伏時とにおける姿勢を維持をさせるための嵌合部２６を支腕部２３との間に形成できるようにして形成されている。
【００２５】
すなわち、ロックレバー３３の各支軸部３４の近傍位置には、弾性変形が自在な可撓起立片３７が立設されており、これら各可撓起立片３７の外側面３７ａには適宜形状の小突起３８が突設されている。また、各支腕部２３の内側面２５には、図５（ａ）に示すようにロックレバー３３の完全起立時に小突起３８と嵌合して嵌合部２６を形成する溝部２７と、図５（ｃ）に示すようにその完全倒伏時に小突起３８と嵌合して嵌合部２６を形成する溝部２８とのほか、図５（ｂ）に示すように溝部２７の仕切り壁部２７ａと溝部２８の仕切り壁部２８ａとの間にロックレバー３３の小突起３８が位置した際の円滑な移動を確保するための凹陥部２９が形成されている。
【００２６】
さらに、ロックレバー３３の固定面部３５の中央部位には、その完全倒伏時に基台本体５１側に位置固定させた状態を、図７に示されているようにドライバーなどの使用工具６５により生成される梃子作用によって解除できるように、該使用工具６５の先端部６６が導入掛止される掛合孔３９が設けられている。
【００２７】
一方、筐体部１２における一側面１３の他方のコーナー部１６に垂設されている嵌合突起４２は、その装着時に基台本体５１の対応部位に設けられている嵌合孔５４との嵌合が自在な形状と大きさとが付与されて形成されている。
【００２８】
この場合、嵌合突起４２は、筐体部１２の横幅に対し略半分の幅が付与された略直方体形状を呈して形成されており、その装着時に基台本体５１の略矩形形状を呈する嵌合孔５５と嵌合させる際にある程度の動きが確保されるように底面側が円曲化されて形成されている。
【００２９】
次に、図７に示す基台本体５１に対するモジュール機器１１の取付け構造につき、図６を参照しながら該モジュール機器１１自体の作用とともに説明すれば、まず、モジュール機器１１を構成している筐体部１２は、ロックレバー３３をその固定面３５ａが図１に示されているように一側面１３と同じ面方向に位置する完全起立時（ロック完全解除時）の状態となるように、支腕部２３の溝部２７とロックレバー３３の可撓起立片３７が備える小突起３８とを嵌合させて図５（ａ）に示すように嵌合部２６を形成してその姿勢を維持させておく。
【００３０】
しかる後、モジュール機器１１は、基台本体５１の嵌合孔５５に対し筐体部１２が備える嵌合突起４２を嵌合させ、これを支点としてその一側面１３が基台本体５１側に当接するに至るまで接近させる。
【００３１】
これにより、筐体部１２がその一側面１３に備える一側コネクタ（例えばプラグ）１４は、基台本体５１がその対向面に備える他側コネクタ（例えばソケット）５２と嵌り合い、相互が電気的に接続される。
【００３２】
このようにモジュール機器１１の側と基台本体５１の側とが完全に電気的に接続された後は、ロックレバー３３の固定面部３５を基台本体５１が備える掛合部５３側へと倒伏させる。このとき、ロックレバー３３の可撓起立片３７が備える小突起３８は、図５（ａ）〜（ｃ）として示されているように可撓起立片３６の撓み作用により溝部２７の仕切り壁部２７ａを乗り越えて凹陥部２９内へと至り、さらに溝部２８の仕切り壁部２８ａをも乗り越えて溝部２８内へと到達することになる。
【００３３】
かくして、ロックレバー３３の固定面部３５がその固定面３５ａに備える２個の突起３６は、基台本体５１がその対応部位に掛合部５３として設けてある２個の掛止孔５４に各別に導入され、位置固定部１８が形成されるに至る。
【００３４】
しかも、このようなロックレバー３３の完全倒伏時（完全ロック時）には、支腕部２３の溝部２８とロックレバー３３の小突起３８とを嵌合させて図５（ｃ）に示すように嵌合部２６を形成することができるので、その姿勢を安定的に維持させた状態でモジュール機器１１を基台本体５１に装着して適宜のアセンブリ装置６１として用いることができることになる。
【００３５】
また、アセンブリ装置６１としての使用を終えたり、異なる機能が付与されたモジュール機器１１と交換する必要が生じた際などには、ロックレバー３３を引き上げてこれを図１に示すように起立させることにより、直ちにそのロック状態を解除することができるので、基台本体５１の側からモジュール機器１１を簡単に取り外すことができる。
【００３６】
しかも、アセンブリ装置６１として使用する際の設置場所が狭隘であったりして作業者の手指がモジュール機器１１のロックレバー３３まで届かないような場合には、図６に示すようにドライバーなどからなる使用工具６５の先端部６６をロックレバー３３の固定面部３５に設けてある掛合孔３９に掛止させ、その梃子作用によってロックレバー３３を引き上げることにより、簡単にロック状態を解除してモジュール機器１１を取り外すことができる。
【００３７】
以上は、本発明の実施形態を図示例に即して説明したものであり、その具体的な実施の形態例はこれに限定されるものではない。例えば、ロックレバー３３が備える突起３６の数は、基台本体５１が備える掛合部５３（掛止孔５４）の数との関係で定めることができ、したがって、１個でも３個以上であってもよい。また、ロックレバー３３が備える突起３６の形状も円柱状を呈するものが図示されているが、基台本体５１が備える掛合部５３（掛止孔５４）の具体的な形状に対応させて例えば角柱状を呈するものとしたり、横一条の隆起部として位置固定部１８を形成できるようにすることもできる。
【００３８】
また、一対の支腕部２３，２３とロックレバー３３とは、姿勢を維持させるための嵌合部２６を形成することなく、自由な軸支構造を採用するものであってもよい。
【００３９】
さらに、モジュール機器１１が備える嵌合突起４２は、要は相手材である基台本体５１の側にその装着時に支持させておくことができるものでさえあれば、その具体的な形状は所望に応じ適宜採用することができる。
【００４０】
【発明の効果】
以上述べたように本発明によれば、設置場所の如何にかかわらず簡単な操作でロック解除を行って基台本体の側からのモジュール機器を取り外すことができるばかりでなく、モジュール機器を基台本体に取り付けた際の位置固定状態もがたつきのない安定したものとすることができる。
【図面の簡単な説明】
【図１】本発明に係るモジュール機器の一例を示す全体斜視図。
【図２】図１の要部（ロック機構）を拡大して示す斜視図。
【図３】図１に示す例を背面方向からみた場合の全体斜視図。
【図４】相手部材である基台本体の一例を示す全体斜視図。
【図５】ロックレバーの動きを支腕部との関係で示す説明図であり、（ａ）は完全起立時（ロック完全解除時）の状態を、（ｂ）は移動途中の状態を、（ｃ）は完全倒伏時（完全ロック時）の状態をそれぞれ示す。
【図６】図１に示すモジュール機器と図４に示す基台本体との間の配置関係を示す
【図７】本発明に係るモジュール機器の取付け構造例を示す全体斜視図。
【図８】基台本体にモジュール機器を装着させて形成されるアセンブリ装置の従来例を示す要部斜視図。
【符号の説明】
１１  モジュール機器
１２  筐体部
１３  一側面
１４  一側コネクタ
１５，１６  コーナー部
１８  位置固定部
２２  ロック機構
２３  支腕部
２４  軸支孔
２５  内側面
２６  嵌合部
２７，２８  溝部
２７ａ，２８ａ  仕切り壁部
２９  凹陥部
３３  ロックレバー
３４  支軸部
３５  固定面部
３５ａ  固定面
３６  柱状突起
３７  可撓起立片
３７ａ  外側面
３８  小突起
３９  掛合孔
４２  嵌合突起
５１  基台本体
５２  他側コネクタ
５３  掛止部
５４  掛止孔
５５  嵌合孔
６１  アセンブリ装置
６５  使用工具
６６  先端部
【図１】
2004319551.tif 000003
【図２】
2004319551.tif 000004
【図３】
2004319551.tif 000005
【図４】
2004319551.tif 000006
【図５】
2004319551.tif 000007
【図６】
2004319551.tif 000008
【図７】
2004319551.tif 000009
【図８】
2004319551.tif 000010